(57)【特許請求の範囲】
【請求項１】
突起を有する、熱可塑性の第１の部材と、
前記突起の径よりも大径である第１の貫通孔を有する、前記第１の部材よりも高い熱伝導率を有する第２の部材と、
前記第１の貫通孔と連通して前記突起を貫通させる第２の貫通孔を有し、前記第２の部材の上に敷かれて該第２の部材を前記第１の部材との間に挟む、該第１の部材よりも低い熱伝導率を有するシート状の第３の部材とを備え、
前記突起の、前記第１の貫通孔および前記第２の貫通孔を貫通した部分の熱変形もしくは該部分へのオーバーモールドにより、前記第２の部材が前記第１の部材に固定されていることを特徴とする固定構造。
【請求項２】
前記第２の貫通孔が、前記第１の貫通孔よりも小径の貫通孔であることを特徴とする請求項１に記載の固定構造。
【請求項３】
前記第１の部材が樹脂材料からなる部材であり、前記第２の部材が金属材料からなる部材であって、前記突起の熱かしめにより、該第２の部材が該第１の部材に固定されていることを特徴とする請求項１または２に記載の固定構造。
【発明の詳細な説明】
【技術分野】
【０００１】
本発明は、例えば金属等からなる高い熱伝導率を有する部材を熱かしめ等により固定する固定構造に関する。
【背景技術】
【０００２】
部材を熱かしめにより固定する構造が、カメラや携帯電話、その他の様々な機器で採用されている。例えば特許文献１には、コネクタにおける熱かしめの構造が示されている。
【０００３】
ここで、自動車に搭載されている機器において、高い熱伝導率を有する金属部材を樹脂の熱かしめにより固定する構造について考察する。
【０００４】
自動車のエンジンルーム内に搭載される機器の場合、例えば−４０〜１５０℃の広い温度範囲でその動作が保証される必要がある。これを実現するため、上記の固定構造についても工夫が必要となる。すなわち、金属と樹脂とでは熱伝導率だけでなく熱膨張率も大きく異なっている。このため、樹脂材料に設けられる熱かしめ用の突起の径よりも、金属材料に形成される、その突起を貫通させる貫通孔の径を大径する必要がある。すなわち、貫通孔壁面と突起との間に隙間を持たせておき、熱膨張率の違いによる寸法変化をその隙間で吸収することで歪みの発生を抑える必要がある。
【０００５】
一方、熱かしめは、上記の突起を加熱して溶解させる技術である。このため、突起の溶解時に、溶解した樹脂がその突起と貫通孔壁面との間の隙間に流れ込み、その隙間が埋められてしまうという問題がある。
【０００６】
特許文献２には、突起と貫通孔との間に隙間を空けた構造が示されている。しかしながら、この特許文献２に提案された技術は、突起と貫通孔壁面との間の隙間を確実に埋めるための技術であって、ここで提起している問題とは相入れない技術である。
【先行技術文献】
【特許文献】
【０００７】
【特許文献１】特開２００３−２６４０２５号公報
【特許文献２】特開２００８−１６２１２５号公報
【発明の概要】
【発明が解決しようとする課題】
【０００８】
本発明は、上記事情に鑑み、貫通孔壁面と突起との間に隙間が確保された固定構造を提供することを目的とする。
【課題を解決するための手段】
【０００９】
上記目的を達成する本発明の固定構造は、
突起を有する、熱可塑性の第１の部材と、
上記突起の径よりも大径である第１の貫通孔を有する、上記第１の部材よりも高い熱伝導率を有する第２の部材と、
上記第１の貫通孔と連通して上記突起を貫通させる第２の貫通孔を有し、上記第２の部材の上に敷かれてその第２の部材を第１の部材との間に挟む、第１の部材よりも低い熱伝導率を有するシート状の第３の部材とを備え、
上記突起の、第１の貫通孔および第２の貫通孔を貫通した部分の熱変形もしくはその部分へのオーバーモールドにより、上記第２の部材が上記第１の部材に固定されていることを特徴とする。
【００１０】
本発明の固定構造は、第２の部材の上に敷かれた、第１の部材よりも低い熱伝導率を有するシート状の第３の部材を備えている。
【００１１】
このため、熱かしめにおける熱、あるいはオーバーモールドによる熱が第３の部材で遮られ、突起の、貫通孔の壁面に対面している部分には、熱が伝わり難い。また、熱かしめあるいは、オーバーモールドによる溶融した材料は、第３の部材に遮られて突起と貫通孔壁面との間の隙間への侵入が妨げられる。このようにして、突起と貫通孔壁面との間に隙間が確保される。
【００１２】
ここで、本発明の固定構造において、上記第２の貫通孔が、上記第１の貫通孔よりも小径の貫通孔であることが好ましい。
【００１３】
こうすることにより、その隙間への溶融材料の侵入が一層確実に防止される。
【００１４】
また、本発明の固定構造は、上記第１の部材が樹脂材料からなる部材であり、上記第２の部材が金属材料からなる部材であって、上記突起の熱かしめにより、第２の部材が第１の部材に固定されているものであってもよい。
【００１５】
本発明は、具体的には、このような固定構造に好適である。
【発明の効果】
【００１６】
以上の本発明によれば、貫通孔壁面と突起との間に隙間が確保され、熱膨張率の違いによる歪みの発生を避けた固定構造が実現する。
【図面の簡単な説明】
【００１７】
【図１】自動車に搭載される機器の１つを構成するバスバーと呼ばれる部品の概要図である。
【図２】図１に示す部品で採用されている熱かしめ構造を示した断面図である。
【発明を実施するための形態】
【００１８】
以下、本発明の実施の形態を説明する。
【００１９】
図１は、自動車に搭載される機器の１つを構成するバスバーと呼ばれる部品の概要図である。
【００２０】
この部品１００は、２枚の金属板１０，１０により電力を移送する部品である。この部品１００では、２枚の金属板１０，１０の間に樹脂板２０が介在している。その樹脂板２０は、２枚の金属板１０，１０の間隔を一定に維持するとともに、２枚の金属板１０，１０どうしの間の電気的な絶縁を担っている。２枚の金属板１０，１０のそれぞれは、熱かしめにより、樹脂板２０に固定されている。この図１には、図１の上面側の金属板１０を熱かしめにより樹脂板２０に固定する、複数（この図１では５つ）の熱かしめの頭部２２があらわれている。その頭部２２と金属板１０との間にはシート材３０が挟まれている。この図１の下面側の金属板１０も、同様の熱かしめ構造により、樹脂板２０に固定されている。
【００２１】
本実施形態では、樹脂板２０が、本発明にいう第１の部材の一例に相当する。また、２枚の金属板１０，１０のそれぞれが、本発明にいう第２の部材の一例に相当する。さらに、シート材３０が、本発明にいうシート状の第３の部材の一例に相当する。
【００２２】
図２は、図１に示す部品で採用されている熱かしめ構造を示した断面図である。ここでは、２枚の金属板のうちの一方の金属板、かつ、１つの熱かしめ部分の構造のみが示されている。
【００２３】
ここで、図２（Ａ）は熱かしめ前であって、かつ、シート材配置前の状態を示している  。また、図２（Ｂ）は熱かしめ前であって、シート材を配置した後の状態を示している  。さらに、図２（Ｃ）は、熱かしめ後の状態を示している。
【００２４】
樹脂板２０は、熱可塑性の樹脂からなる部材であり、熱かしめ突起２１を有する。具体的には、本実施形態における樹脂板２０は、ＰＢＴ（ポリブチレンテレフタレート）を材料としている。この樹脂板２０の熱伝導率は約０．２９Ｗ／ｍＫである。また、金属板１０は、ここでは銅合金からなり、貫通孔１１を有する。この貫通孔１１は、本発明にいう第１の貫通孔の一例に相当する。この金属板１０の熱伝導率は約４００Ｗ／ｍＫであって、樹脂板１０と比べ極めて高い熱伝導率を有する。ここで、熱かしめ突起２１は、熱かしめにあたり、図２（Ａ）に示すように、貫通孔１１に挿通される。この金属板１０に形成されている貫通孔１１は、樹脂板２０に設けられている熱かしめ突起２１の径よりも太径の貫通孔である。このため、この貫通孔１１に挿通された熱かしめ突起２１と、この貫通孔１１の壁面１１ａとの間には、隙間が形成されている。
【００２５】
熱かしめにあたっては、さらに、図２（Ｂ）に示すように、シート材３０が、樹脂板２０との間に金属板１０を挟むようにして、金属板１０の上に敷かれる。このシート材３０には、金属板１０に形成されている貫通孔１１と連通する貫通孔３１が形成されている。この貫通孔３１は、本発明にいう第２の貫通孔の一例に相当する。この貫通孔３１は、第１の貫通孔１１よりも小径であって、熱かしめ突起２１がぎりぎり通る程度の寸法の貫通孔である。このシート材３０は、樹脂板２０よりも低い熱伝導率を有する。具体的には、本実施形態では、熱伝導率が約０．２Ｗ／ｍＫのフッ素系シート、あるいはポリイミド系シートが採用されている。また、シート材３０の耐熱温度は、樹脂板２０の融点以上であることを要する。例えば、樹脂板２０がＰＢＴ製の場合、シート材３０は２２３℃以上の耐熱性が必要である。
【００２６】
図２（Ｂ）に示すようにシート材３０を敷いた後、熱かしめ突起２１に熱かしめヘッド（不図示）が宛てがわれて、熱かしめ突起２１が加熱、溶融される。そして、一旦溶融した熱かしめ突起２１が冷えると、図２（Ｃ）に示す、樹脂による熱かしめの頭部２２が形成される。金属板１０は、この頭部２２により、樹脂板１０に固定される。このシート材３０は、１つには、溶融した樹脂が熱かしめ突起２１と第１の貫通孔１１の壁面１１ａとの間の隙間に入り込むことを防ぐ役割を担っている。また、このシート材３０は、さらに、熱かしめの際の熱が金属板１０に伝わるのを防ぐ役割を担っている。
【００２７】
ここで、仮に、シート材３０を敷かずに、図２（Ａ）の状態で熱かしめを行なうと、１つには、溶融した樹脂が、熱かしめ突起２１と第１の貫通孔１１の壁面１１ａとの間の隙間に入り込むことになる。また、もう１つには、極めて高い熱伝導率を有する金属板１０を経由して熱が直ちに伝わり、熱かしめ突起２１の第１の貫通孔１１に入り込んでいる部分までもが直ぐに溶融してしまうことになる。この２つの原因により、熱かしめ突起２１と第１の貫通孔１１の壁面１１ａとの間の隙間が溶融樹脂で埋められてしまい、その隙間が確保されないおそれがある。
【００２８】
ここで、金属板１０と樹脂板２０は、熱膨張率も大きく異なっている。このため、その隙間が確保されていないまま環境温度が高温になると、そこで歪みが生じ、図１に示す部品１００が変形してしまい、正しく動作しなくなるおそれがある。本実施形態の場合、熱伝導率の低い、かつ、小径の貫通孔３１が形成されたシート材３０が敷かれているため、その隙間が確実に確保される。したがって、熱膨張率の違いのよる寸法変化は、その隙間で吸収され、高温環境下にあっても、図１に示す部品１００の歪みや反り等の変形が防止される。
【００２９】
なお、ここでは、熱かしめ突起２１を加熱、溶融し、熱かしめにより金属板１０を樹脂板２０に固定する固定構造について説明した。ただし、本発明の固定構造は熱かしめによる固定に限られるものではない。すなわち、本発明の固定構造は、溶融した樹脂等を、上述の実施形態における熱かしめ突起２１に相当する突起を覆うように流し込むオーバーモールドによる固定方法を採用したものであってもよい。
【００３０】
また、ここでは、金属板１０を樹脂板２０に固定する例について説明したが、本発明は、金属板１０、樹脂板２０に限られるものではない。本発明の固定構造は、熱伝導率の高い部材を熱かしめあるいはオーバーモールドで固定する場合に、広く採用することができる。
【符号の説明】
【００３１】
１０  金属板
１１  貫通孔
１１ａ  壁面
２０  樹脂板
２１  熱かしめ突起
２２  頭部
３０  シート材
３１  貫通孔
１００  部品
【図１】
0006420743.tif 000002
【図２】
0006420743.tif 000003